(57)【要約】【課題】端末装置を使用するユーザーに好適な楽曲リストを提供するための新たな手法を提案すること。【解決手段】端末装置から楽曲のリクエストと該端末装置の位置情報又は時間関連情報とを受信するリクエスト受信手段と、前記リクエストの内容と前記位置情報又は前記時間関連情報の内容とをデータベースの保存データとして保存するリクエスト保存手段と、前記楽曲を前記端末装置に配信する楽曲配信手段と、端末装置から楽曲リストの配信要求と該端末装置の位置情報又は時間関連情報とを受信するリスト要求受信手段と、前記データベースの前記保存データを利用して、前記位置情報又は前記時間関連情報に応じた前記楽曲リストを作成するリスト作成手段と、前記楽曲リストを前記端末装置に配信するリスト配信手段とを具備する楽曲配信装置。【選択図】図１
2008153859.tif 000002
【特許請求の範囲】
【請求項１】
端末装置から楽曲のリクエストと該端末装置の位置情報又は時間関連情報とを受信するリクエスト受信手段と、
前記リクエストの内容と前記位置情報又は前記時間関連情報の内容とをデータベースの保存データとして保存するリクエスト保存手段と、
前記楽曲を前記端末装置に配信する楽曲配信手段と、
端末装置から楽曲リストの配信要求と該端末装置の位置情報又は時間関連情報とを受信するリスト要求受信手段と、
前記データベースの前記保存データを利用して、前記位置情報又は前記時間関連情報に応じた前記楽曲リストを作成するリスト作成手段と、
前記楽曲リストを前記端末装置に配信するリスト配信手段とを具備する楽曲配信装置。
【請求項２】
端末装置から楽曲のリクエストと該端末装置の位置情報又は時間関連情報とを受信し、
前記リクエストの内容と前記位置情報又は前記時間関連情報の内容とをデータベースの保存データとして保存し、
前記楽曲を前記端末装置に配信し、
端末装置から楽曲リストの配信要求と該端末装置の位置情報又は時間関連情報とを受信し、
前記データベースの前記保存データを利用して、前記位置情報又は前記時間関連情報に応じた前記楽曲リストを作成し、
前記楽曲リストを前記端末装置に配信する楽曲配信方法。
【請求項３】
基地局を介して楽曲配信装置にアクセス可能な端末装置であって、
該端末装置と前記基地局との間の通信状態を測定する通信状態測定手段と、
前記楽曲配信装置にアクセスするのに利用する前記基地局を、前記通信状態に基づいて決定する基地局決定手段と、
楽曲のリクエストと該端末装置の位置情報又は時間関連情報とを、前記基地局を介して前記楽曲配信装置に送信するリクエスト送信手段と、
前記楽曲を、前記基地局を介して前記楽曲配信装置から受信する楽曲受信手段と、
楽曲リストの配信要求と該端末装置の位置情報又は時間関連情報とを、前記基地局を介して前記楽曲配信装置に送信するリスト要求送信手段と、
前記楽曲リストを、前記基地局を介して前記楽曲配信装置から受信するリスト受信手段とを具備する端末装置。
【請求項４】
基地局を介して楽曲配信装置にアクセス可能な端末装置によって実行される通信方法であって、
該端末装置と前記基地局との間の通信状態を測定し、
前記楽曲配信装置にアクセスするのに利用する前記基地局を、前記通信状態に基づいて決定し、
楽曲のリクエストと該端末装置の位置情報又は時間関連情報とを、前記基地局を介して前記楽曲配信装置に送信し、
前記楽曲を、前記基地局を介して前記楽曲配信装置から受信し、
楽曲リストの配信要求と該端末装置の位置情報又は時間関連情報とを、前記基地局を介して前記楽曲配信装置に送信し、
前記楽曲リストを、前記基地局を介して前記楽曲配信装置から受信する通信方法。
【発明の詳細な説明】
【技術分野】
【０００１】
本発明は、楽曲配信装置、楽曲配信方法、端末装置、及び通信方法に関する。
【背景技術】
【０００２】
近年、楽曲ダウンロード機能を備える携帯型音楽プレーヤーや、楽曲ダウンロード機能と音楽再生機能とを備える携帯電話機が登場してきた。このような携帯端末は、今後益々普及していくものと予想される。
【０００３】
携帯端末のユーザーは、楽曲データをダウンロードする際に予めダウンロードする楽曲を決めていない場合には、例えば、楽曲のリクエスト順位を参考にして流行曲や話題曲をダウンロードしたり、楽曲のジャンル別の曲目リストを参考にして自分の好みのジャンルの曲をダウンロードしたりする事が多い。
【０００４】
携帯端末の中には、ダウンロードした楽曲の中から再生する楽曲をランダムに選択し、ランダムに選択した楽曲を再生するランダム再生機能を備えるものもある。このランダム再生機能は、再生順の意外性（驚き）や未知性（新鮮さ）が受け入れられている。しかしながら、ダウンロードした楽曲とはそもそもユーザーの意図によりダウンロードしたものなので、意外性はある範囲内に留まり、未知性に至っては極めて小さい。ユーザーの楽曲選択の範囲は、各自の趣味や興味の領域に限られている事が多く、ユーザーは、必然的に自分の好みのジャンルの曲ばかりを聴く事になる。
【０００５】
従って、携帯端末のユーザーに、意外性や未知性のある楽曲を提供できるような方法が求められている。しかしながら、楽曲のリクエスト順位や楽曲のジャンル別の曲目リストに挙げられる曲は、流行曲や話題曲として巷にあふれている曲や自分の好みのジャンルのなじみの曲である事が多く、意外性や未知性がなくダウンロードする意欲を削いでしまう事が多い。特許文献１には、現在位置に応じて、その地域のご当地ソングの曲目リストを提供するような音楽再生方法が開示されているが、この方法には、各楽曲に対して、予め人の手で地域情報を付しておかなければならないという欠点がある。
【特許文献１】特開平８−２４８９５３号公報
【発明の開示】
【発明が解決しようとする課題】
【０００６】
本発明は、端末装置のユーザーに好適な楽曲リストを提供するための新たな手法を提案することを課題とする。
【課題を解決するための手段】
【０００７】
本発明の実施例は例えば、端末装置から楽曲のリクエストと該端末装置の位置情報又は時間関連情報とを受信するリクエスト受信手段と、前記リクエストの内容と前記位置情報又は前記時間関連情報の内容とをデータベースの保存データとして保存するリクエスト保存手段と、前記楽曲を前記端末装置に配信する楽曲配信手段と、端末装置から楽曲リストの配信要求と該端末装置の位置情報又は時間関連情報とを受信するリスト要求受信手段と、前記データベースの前記保存データを利用して、前記位置情報又は前記時間関連情報に応じた前記楽曲リストを作成するリスト作成手段と、前記楽曲リストを前記端末装置に配信するリスト配信手段とを具備する楽曲配信装置に係る。
【０００８】
本発明の実施例は例えば、端末装置から楽曲のリクエストと該端末装置の位置情報又は時間関連情報とを受信し、前記リクエストの内容と前記位置情報又は前記時間関連情報の内容とをデータベースの保存データとして保存し、前記楽曲を前記端末装置に配信し、端末装置から楽曲リストの配信要求と該端末装置の位置情報又は時間関連情報とを受信し、前記データベースの前記保存データを利用して、前記位置情報又は前記時間関連情報に応じた前記楽曲リストを作成し、前記楽曲リストを前記端末装置に配信する楽曲配信方法に係る。
【０００９】
本発明の実施例は例えば、基地局を介して楽曲配信装置にアクセス可能な端末装置であって、該端末装置と前記基地局との間の通信状態を測定する通信状態測定手段と、前記楽曲配信装置にアクセスするのに利用する前記基地局を、前記通信状態に基づいて決定する基地局決定手段と、楽曲のリクエストと該端末装置の位置情報又は時間関連情報とを、前記基地局を介して前記楽曲配信装置に送信するリクエスト送信手段と、前記楽曲を、前記基地局を介して前記楽曲配信装置から受信する楽曲受信手段と、楽曲リストの配信要求と該端末装置の位置情報又は時間関連情報とを、前記基地局を介して前記楽曲配信装置に送信するリスト要求送信手段と、前記楽曲リストを、前記基地局を介して前記楽曲配信装置から受信するリスト受信手段とを具備する端末装置に係る。
【００１０】
本発明の実施例は例えば、基地局を介して楽曲配信装置にアクセス可能な端末装置によって実行される通信方法であって、該端末装置と前記基地局との間の通信状態を測定し、前記楽曲配信装置にアクセスするのに利用する前記基地局を、前記通信状態に基づいて決定し、楽曲のリクエストと該端末装置の位置情報又は時間関連情報とを、前記基地局を介して前記楽曲配信装置に送信し、前記楽曲を、前記基地局を介して前記楽曲配信装置から受信し、楽曲リストの配信要求と該端末装置の位置情報又は時間関連情報とを、前記基地局を介して前記楽曲配信装置に送信し、前記楽曲リストを、前記基地局を介して前記楽曲配信装置から受信する通信方法に係る。
【発明の効果】
【００１１】
本発明は、端末装置のユーザーに好適な楽曲リストを提供するための新たな手法を提案するものである。
【発明を実施するための最良の形態】
【００１２】
図１は、本実施例の楽曲配信システム１０１のシステム構成図である。図１の楽曲配信システム１０１は、複数の移動体端末１１１と、複数の固定端末１１２と、複数の基地局１１３と、移動体センタ内に設置された移動体サーバ１１４と、楽曲配信センタ内に設置された楽曲配信サーバ１１５等により構成されている。移動体端末１１１同士、固定端末１１２同士、基地局１１３同士の参照符号はそれぞれ、数字に添付したアルファベットで区別されている。移動体端末１１１及び固定端末１１２は、端末装置の具体例に相当し、楽曲配信サーバ１１５は、楽曲配信装置の具体例に相当する。
【００１３】
移動体端末１１１はそれぞれ、基地局１１３及び移動体サーバ１１４を介して楽曲配信サーバ１１５にアクセス可能な端末装置である。移動体端末１１１はそれぞれ、ここでは楽曲ダウンロード機能と音楽再生機能とを備える携帯電話機であるが、楽曲ダウンロード機能を備える携帯型音楽プレーヤー（例えばヘッドフォンステレオ）や移動型音楽プレーヤー（例えばカーステレオ）でも構わない。
【００１４】
固定端末１１２はそれぞれ、公衆回線や専用回線等のネットワーク１２１を介して楽曲配信サーバ１１５にアクセス可能な端末装置である。固定端末１１２はそれぞれ、ここでは楽曲ダウンロード機能と音楽再生機能とを備えるＰＣであるが、楽曲ダウンロード機能を備える据置型音楽プレーヤー（例えばミニコンポ）でも構わない。
【００１５】
基地局１１３はそれぞれ、移動体端末１１１及び移動体サーバ１１４と通信可能な通信装置である。移動体サーバ１１４は、移動体通信用のサーバであり、公衆回線や専用回線等のネットワーク１２１に接続されて使用される。楽曲配信サーバ１１５は、楽曲配信用のサーバであり、公衆回線や専用回線等のネットワーク１２１に接続されて使用される。
【００１６】
図２は、図１の楽曲配信サーバ１１５の機器構成図である。楽曲配信サーバ１１５は、ネットワーク通信部２０１と、制御部２０２と、記憶部２０３と、タイマー部２０４とを備える。
【００１７】
ネットワーク通信部２０１は、ネットワーク接続用のインタフェースであり、ＮＩＣ等により構成されている。制御部２０２は、データ処理用のプロセッサであり、ＣＰＵ等により構成されている。制御部２０２により、楽曲データの配信処理やリクエストデータの受信処理が実行される。記憶部２０３は、データ保存用のストレージであり、ＨＤＤ等により構成されている。記憶部２０３は、楽曲データの格納先やリクエストデータのデータベースの格納先となる。タイマー部２０４は、年月日情報や時刻情報等の時間に関連する情報（時間関連情報）を管理するためのタイマーである。タイマー部２０４により、楽曲データの配信日・配信時やリクエストデータの受信日・受信時が管理される。
【００１８】
図３は、図１の楽曲配信サーバ１１５の機能ブロック図である。楽曲配信サーバ１１５は、リクエスト受信手段の具体例であるリクエスト受信部３０１、リクエスト保存手段の具体例であるリクエスト保存部３０２、楽曲配信手段の具体例である楽曲配信部３０３、リスト要求受信手段の具体例であるリスト要求受信部３０４、リスト作成手段の具体例であるリスト作成部３０５、リスト配信手段の具体例であるリスト配信部３０６、等の機能ブロックを備える。これらの機能ブロックは例えば、当該楽曲配信サーバ１１５にインストールされたコンピュータプログラムにより実現可能である。
【００１９】
リクエスト受信部３０１は、移動体端末１１１から、楽曲のリクエストを該移動体端末１１１の位置情報や時間関連情報と共に受信したり、固定端末１１２から、楽曲のリクエストを該固定端末１１２の位置情報や時間関連情報と共に受信したりする機能ブロックである。リクエスト保存部３０２は、リクエスト受信部３０１により受信されたリクエストの内容と位置情報や時間関連情報の内容とを、上述のデータベースの保存データとして保存する機能ブロックである。楽曲配信部３０３は、リクエストされた楽曲を、リクエスト元の移動体端末１１１や固定端末１１２に配信する機能ブロックである。
【００２０】
リスト要求受信部３０４は、移動体端末１１１から、楽曲リストの配信要求を該移動体端末１１１の位置情報や時間関連情報と共に受信したり、固定端末１１２から、楽曲リストの配信要求を該固定端末１１２の位置情報や時間関連情報と共に受信したりする機能ブロックである。リスト作成部３０５は、上述のデータベースの上記の保存データ等を利用して、リスト要求受信部３０４により受信された位置情報や時間関連情報に応じた楽曲リストを作成する機能ブロックである。リスト配信部３０６は、作成された楽曲リストを、要求元の移動体端末１１１や固定端末１１２に配信する機能ブロックである。
【００２１】
図４は、図１の移動体端末１１１の機器構成図である。移動体端末１１１は、無線通信部４０１と、制御部４０２と、記憶部４０３と、表示部４０４と、操作部４０５と、音楽再生部４０６とを備える。
【００２２】
無線通信部４０１は、無線通信用のインタフェースであり、無線電話通信用のアンテナ等により構成されている。制御部４０２は、データ処理用のプロセッサであり、ＣＰＵ等により構成されている。記憶部４０３は、データ保存用のストレージであり、フラッシュメモリ等により構成されている。表示部４０４は、画面表示用のユーザーインタフェースであり、ディスプレイ等により構成されている。操作部４０５は、機器操作用のユーザーインタフェースであり、ダイヤルボタン等により構成されている。音楽再生部４０６は、音楽再生用の機構であり、スピーカー等により構成されている。
【００２３】
図５は、図１の移動体端末１１１の機能ブロック図である。移動体端末１１１は、通信状態測定手段の具体例である通信状態測定部５０１、基地局決定手段の具体例である基地局決定部５０２、リクエスト送信手段の具体例であるリクエスト送信部５０３、楽曲受信手段の具体例である楽曲受信部５０４、リスト要求送信手段の具体例であるリスト要求送信部５０５、リスト受信手段の具体例であるリスト受信部５０６、等の機能ブロックを備える。これらの機能ブロックは例えば、当該移動体端末１１１にインストールされたコンピュータプログラムにより実現可能である。
【００２４】
通信状態測定部５０１は、該移動体端末１１１と基地局１１３との間の通信状態を測定する機能ブロックである。基地局決定部５０２は、楽曲配信サーバ１１５にアクセスするのに利用する基地局１１３を、通信状態測定部５０１により測定された通信状態に基づいて決定する機能ブロックである。
【００２５】
リクエスト送信部５０３は、楽曲のリクエストを該移動体端末１１１の位置情報や時間関連情報と共に、基地局１１３を介して楽曲配信サーバ１１５に送信する機能ブロックである。楽曲受信部５０４は、リクエストした楽曲を、基地局１１３を介して楽曲配信サーバ１１５から受信する機能ブロックである。
【００２６】
リスト要求送信部５０５は、楽曲リストの配信要求を該移動体端末１１１の位置情報や時間関連情報と共に、基地局１１３を介して楽曲配信サーバ１１５に送信する機能ブロックである。リスト受信部５０６は、要求した楽曲リストを、基地局１１３を介して楽曲配信サーバ１１５から受信する機能ブロックである。
【００２７】
図６は、図１の楽曲配信システム１０１において実行される楽曲配信処理に係るフローチャート図である。図６では、移動体端末１１１Ａと楽曲配信サーバ１１５との間で実行される楽曲配信処理について説明する。なお、移動体端末１１１Ａの機能ブロックの参照符号はそれぞれ、通信状態測定部５０１Ａや基地局決定部５０２Ａといったように、数字にアルファベット「Ａ」を添付して表記することにする。
【００２８】
先ず、移動体端末１１１Ａの通信状態測定部５０１Ａと基地局決定部５０２Ａにより、アクセスする基地局１１３の最適化が実施される。移動体端末は通常、基地局間のハンドオーバーを頻繁に繰り返さないために、移動体端末が移動しても、受信レベルがある程度低くならないと、他の基地局への切り替えは行わないような仕組みになっている。移動体端末は、場合によっては、遠い基地局へアクセスしている場合もある。従って、本実施例では、楽曲のリクエストの前に予め、通信状態測定部５０１Ａが、周辺基地局１１３からの受信電波のレベル（受信電界強度（ＲＳＳＩ）レベル等）を測定し（Ｓ１０１）、基地局決定部５０２Ａが、一番受信品質の良い周辺基地局１１３をアクセス対象に決定する（Ｓ１０２）。ここでは、最近傍基地局である基地局１１３Ａがアクセス対象となったとする。その後、移動体端末１１１Ａは、基地局１１３Ａの位置登録を行い、基地局１１３Ａへのアクセスを開始する。移動体端末１１１Ａは、基地局１１３Ａにアクセスしている間（Ｓ１０３）、基地局１１３Ａの位置を示す位置データを基地局１１３Ａから受信し続ける（Ｓ１０４）。該位置データは、移動体端末１１１Ａが基地局１１３Ａのエリア内に位置するという、移動体端末１１１Ａの位置情報として使用されることになる。移動体端末１１１Ａが利用可能な位置データの例としては他に、基地局１１３Ａの基地局番号から割り出した場所データ（エリアデータ）や、ＧＰＳからの受信データから求めた場所データ（エリアデータ）等が挙げられる。
【００２９】
次に、移動体端末１１１Ａのリクエスト送信部５０３Ａにより、楽曲のダウンロードのリクエストが、基地局１１３Ａを介して楽曲配信サーバ１１５に送信される（Ｓ１１１）。この際、当該リクエストには、リクエスト曲の曲名の他、移動体端末１１１Ａの位置情報と、移動体端末１１１Ａからの送信年月日と、移動体端末１１１Ａからの送信時刻が添付される。
【００３０】
次に、楽曲配信サーバ１１５のリクエスト受信部３０１により、上記のリクエストが上記の位置情報，送信年月日，送信時刻と共に、基地局１１３Ａを介して移動体端末１１１Ａから受信される（Ｓ１１２）。次に、楽曲配信サーバ１１５のリクエスト保存部３０２により、図７の例のように、上記のリクエストの内容が上記の位置情報，送信年月日，送信時刻の内容と共に、データベースの保存データとして保存される（Ｓ１１３）。このようにして、データベースにはリクエストデータが次々に蓄積されて行く。移動体端末１１１Ａからの送信年月日及び送信時刻の代わりに、楽曲配信サーバ１１５の受信年月日及び受信時刻が保存されるようにしてもよい。次に、楽曲配信サーバ１１５の楽曲配信部３０３により、上記の楽曲が、基地局１１３Ａを介して移動体端末１１１Ａに配信される（Ｓ１１４）。
【００３１】
次に、移動体端末１１１Ａの楽曲受信部５０４Ａにより、上記の楽曲が、基地局１１３Ａを介して楽曲配信サーバ１１５から受信される（Ｓ１１５）。
【００３２】
図８は、図１の楽曲配信システム１０１において実行される楽曲配信処理に係るフローチャート図である。図８では、移動体端末１１１Ｂと楽曲配信サーバ１１５との間で実行されるリスト配信処理及び楽曲配信処理について説明する。なお、移動体端末１１１Ｂの機能ブロックの参照符号はそれぞれ、通信状態測定部５０１Ｂや基地局決定部５０２Ｂといったように、数字にアルファベット「Ｂ」を添付して表記することにする。
【００３３】
先ず、移動体端末１１１Ｂの通信状態測定部５０１Ｂと基地局決定部５０２Ｂにより、図６と同様、アクセスする基地局１１３の最適化が実施される。即ち、楽曲リストの配信要求の前に予め、通信状態測定部５０１Ｂが、周辺基地局１１３からの受信電波のレベルを測定し（Ｓ２０１）、基地局決定部５０２Ｂが、一番受信品質の良い周辺基地局１１３をアクセス対象に決定する（Ｓ２０２）。ここでは、最近傍基地局である基地局１１３Ｂがアクセス対象となったとする。その後、移動体端末１１１Ｂは、基地局１１３Ｂの位置登録を行い、基地局１１３Ｂへのアクセスを開始する。移動体端末１１１Ｂは、基地局１１３Ｂにアクセスしている間（Ｓ２０３）、基地局１１３Ｂの位置を示す位置データを基地局１１３Ｂから受信し続ける（Ｓ２０４）。該位置データは、移動体端末１１１Ｂが基地局１１３Ｂのエリア内に位置するという、移動体端末１１１Ｂの位置情報として使用されることになる。
【００３４】
次に、移動体端末１１１Ｂのリスト要求送信部５０５Ｂにより、楽曲リストの配信要求が、基地局１１３Ｂを介して楽曲配信サーバ１１５に送信される（Ｓ２１１）。この際、当該リスト要求には、移動体端末１１１Ｂの位置情報と、移動体端末１１１Ｂからの送信年月日と、移動体端末１１１Ｂからの送信時刻が添付される。
【００３５】
次に、楽曲配信サーバ１１５のリスト要求受信部３０４により、上記のリスト要求が上記の位置情報，送信年月日，送信時刻と共に、基地局１１３Ｂを介して移動体端末１１１Ｂから受信される（Ｓ２１２）。次に、楽曲配信サーバ１１５のリスト作成部３０５が、上記のデータベースの上記の保存データを利用して、移動体端末１１１Ｂの位置情報等に応じた楽曲リストを作成する（Ｓ２１３）。例えば、図９Ａの例のように、移動体端末１１１Ｂの位置情報が「Ｂ」である事に応じて、場所「Ｂ」からのリクエスト曲が上記のデータベースから抽出され、場所「Ｂ」からのリクエスト曲からなる楽曲リストが作成される。例えば、図９Ｂのように、移動体端末１１１Ｂからの送信年月日が「０５年８月１５日」である事に応じて、期間「０５年７月１５日〜０５年８月１４日」のリクエスト曲が上記のデータベースから抽出され、期間「０５年７月１５日〜０５年８月１４日」のリクエスト曲からなる楽曲リストが作成される。例えば、図９Ｃのように、移動体端末１１１Ｂからの送信時刻が「１８時４０分」である事に応じて、時間帯「１７時以降」のリクエスト曲が上記のデータベースから抽出され、時間帯「１７時以降」のリクエスト曲からなる楽曲リストが作成される。位置情報と送信年月日とに応じた楽曲リスト（一定期間に一定区域からリクエストされた楽曲群の楽曲リスト等）や、位置情報と送信時刻とに応じた楽曲リスト（一定時間帯に一定区域からリクエストされた楽曲群の楽曲リスト等）や、位置情報等に応じたジャンル別の楽曲リストが作成されるようにしてもよい。次に、楽曲配信サーバ１１５のリスト配信部３０６により、上記の楽曲リストが、基地局１１３Ｂを介して移動体端末１１１Ｂに配信される（Ｓ２１４）。
【００３６】
次に、移動体端末１１１Ｂのリスト受信部５０６Ｂにより、上記の楽曲リストが、基地局１１３Ｂを介して楽曲配信サーバ１１５から受信される（Ｓ２１５）。これにより、移動体端末１１１Ｂのユーザーは、当該楽曲リストの中からリクエスト曲を選択できるようになる。
【００３７】
次に、移動体端末１１１Ｂのリクエスト送信部５０３Ｂにより、楽曲のダウンロードのリクエストが、基地局１１３Ｂを介して楽曲配信サーバ１１５に送信される（Ｓ２２１）。この際、当該リクエストには、リクエスト曲の曲名の他、移動体端末１１１Ｂの位置情報と、移動体端末１１１Ｂからの送信年月日と、移動体端末１１１Ｂからの送信時刻が添付される。
【００３８】
次に、楽曲配信サーバ１１５のリクエスト受信部３０１により、上記のリクエストが上記の位置情報，送信年月日，送信時刻と共に、基地局１１３Ｂを介して移動体端末１１１Ｂから受信される（Ｓ２２２）。次に、楽曲配信サーバ１１５のリクエスト保存部３０２により、図７の例のように、上記のリクエストの内容が上記の位置情報，送信年月日，送信時刻の内容と共に、データベースの保存データとして保存される（Ｓ２２３）。このようにして、データベースにはリクエストデータが次々に蓄積されて行く。移動体端末１１１Ｂからの送信年月日及び送信時刻の代わりに、楽曲配信サーバ１１５の受信年月日及び受信時刻が保存されるようにしてもよい。次に、楽曲配信サーバ１１５の楽曲配信部３０３により、上記の楽曲が、基地局１１３Ｂを介して移動体端末１１１Ｂに配信される（Ｓ２２４）。
【００３９】
次に、移動体端末１１１Ｂの楽曲受信部５０４Ｂにより、上記の楽曲が、基地局１１３Ｂを介して楽曲配信サーバ１１５から受信される（Ｓ２２５）。
【００４０】
以上のように、本実施例では、移動体端末１１１から楽曲配信サーバ１１５に、楽曲のリクエストが移動体端末１１１の位置情報等と共に送信されると、楽曲配信サーバ１１５において、当該リクエストが当該位置情報等と共に、データベースの保存データとして自動的に保存される。そして、移動体端末１１１から楽曲配信サーバ１１５に、楽曲リストの配信要求が移動体端末１１１の位置情報等と共に送信されると、楽曲配信サーバ１１５が、上記のデータベースの上記の保存データを利用して、当該位置情報等に応じた楽曲リストを自動的に作成する。このようにして、本実施例では、場所や期間や時間帯等に応じた楽曲リストが自動的に作成され、移動体端末１１１のユーザーに提供される。よって、ユーザーには、特定の場所や時期や時間帯等に合う曲や、特定の場所や時期や時間帯等で人気のある曲が提供されることになる。そして、ユーザーはこのような曲目に目新しさを感じることになり、ユーザーのリクエスト意欲が喚起されることになる。
【００４１】
本実施例では更に、楽曲のリクエストや楽曲リストの配信要求の前に予め、移動体端末１１１において、該移動体端末１１１と基地局１１３との間の通信状態が測定され、楽曲配信サーバ１１５にアクセスするのに利用する基地局１１３が、当該通信状態に基づいて決定される。これにより、楽曲のリクエストや楽曲リストの配信要求に先立って、移動体端末１１１と基地局１１３との間の通信状態が好適化される。更には、移動体端末１１１の位置を示す位置情報として使用される位置データが、楽曲のリクエストや楽曲リストの配信要求に先立って、適切な基地局１１３から取得され、移動体端末１１１の位置を適切に表すものとなる。
【００４２】
なお、図６及び図８の処理フローは、移動体端末１１１を題材としているが、固定端末１１２にも適用可能である。また、図６及び図８の処理フローでは、移動体端末１１１と楽曲配信サーバ１１５との間で位置情報及び時間関連情報が授受されているが、位置情報のみ又は時間関連情報のみが授受されるようにしてもよい。
【００４３】
図１０は、通信状態測定処理（Ｓ１０１又はＳ２０１）及び基地局決定処理（Ｓ１０２及びＳ２０２）に係るフローチャート図である。
【００４４】
先ず、移動体端末１１１は、通信電波を受信可能な基地局１１３の総数Ｋ（＝Ｎ）及び各基地局１１３のＩＤ（＝１〜Ｎ）を、サーチテーブルに記録する（Ｓ３０１）。続いて、移動体端末１１１は、最大受信レベル（最大ＲＳＳＩレベル）をクリアする（Ｓ３０２）。
【００４５】
続いて、移動体端末１１１は、ＩＤ＝Ｋの基地局１１３から、通信電波を受信する（Ｓ３１１）。続いて、移動体端末１１１は、当該通信電波の受信レベル（ＲＳＳＩレベル）を測定する（Ｓ３１２）。続いて、移動体端末１１１は、当該受信レベルを最大受信レベルと比較する（Ｓ３１３）。そして、移動体端末１１１は、当該受信レベルの方が大きい場合に限り、当該受信レベルを、最大受信レベルとしてＩＤ「Ｋ」と共に記録する（Ｓ３１４）。続いて、移動体端末１１１は、Ｋの値をデクリメントする（Ｓ３１５）。
【００４６】
移動体端末１１１は、Ｓ３１１乃至Ｓ３１５の処理を、Ｋ＝Ｎから始まりＫ＝０になるまで繰り返し行う（Ｓ３２１）。そして、移動体端末１１１は、Ｋ＝０になると、最大受信レベルのＩＤの基地局１１３を、アクセス対象の基地局１１３に決定する（Ｓ３２２）。
【００４７】
図１１は、リクエストデータ保存処理（Ｓ１１３又はＳ２２３）に係るフローチャート図である。
【００４８】
移動体端末１１１は、リクエストデータに位置情報が添付されている（Ｓ４０１）場合には、該位置情報をデータベースに保存する（Ｓ４０２）。続いて、移動体端末１１１は、リクエストデータに添付されている年月日情報をデータベースに保存する（Ｓ４０３）。続いて、移動体端末１１１は、リクエストデータに添付されている時刻情報をデータベースに保存する（Ｓ４０４）。続いて、移動体端末１１１は、リクエストされた楽曲名をデータベースに保存する（Ｓ４０５）。
【００４９】
なお、通信状態測定処理及び基地局決定処理は、図１０の手順と異なる手順で実行されても構わない。また、リクエストデータ保存処理は、図１１の手順と異なる手順で実行されても構わない。
【図面の簡単な説明】
【００５０】
【図１】楽曲配信システムのシステム構成図である。
【図２】楽曲配信サーバの機器構成図である。
【図３】楽曲配信サーバの機能ブロック図である。
【図４】移動体端末の機器構成図である。
【図５】移動体端末の機能ブロック図である。
【図６】楽曲配信処理に係るフローチャート図である。
【図７】データベースのデータ構造の例である。
【図８】楽曲配信処理に係るフローチャート図である。
【図９Ａ】位置情報に応じた楽曲リストの例である。
【図９Ｂ】送信年月日に応じた楽曲リストの例である。
【図９Ｃ】送信時刻に応じた楽曲リストの例である。
【図１０】通信状態測定処理及び基地局決定処理に係るフローチャート図である。
【図１１】リクエストデータ保存処理に係るフローチャート図である。
【符号の説明】
【００５１】
１０１  楽曲配信システム
１１１  移動体端末
１１２  固定端末
１１３  基地局
１１４  移動体サーバ
１１５  楽曲配信サーバ
１２１  ネットワーク
２０１  ネットワーク通信部
２０２  制御部
２０３  記憶部
２０４  タイマー部
３０１  リクエスト受信部
３０２  リクエスト保存部
３０３  楽曲配信部
３０４  リスト要求受信部
３０５  リスト作成部
３０６  リスト配信部
４０１  無線通信部
４０２  制御部
４０３  記憶部
４０４  表示部
４０５  操作部
４０６  音楽再生部
５０１  通信状態測定部
５０２  基地局決定部
５０３  リクエスト送信部
５０４  楽曲受信部
５０５  リスト要求送信部
５０６  リスト受信部
【図１】
2008153859.tif 000003
【図２】
2008153859.tif 000004
【図３】
2008153859.tif 000005
【図４】
2008153859.tif 000006
【図５】
2008153859.tif 000007
【図６】
2008153859.tif 000008
【図７】
2008153859.tif 000009
【図８】
2008153859.tif 000010
【図９Ａ】
2008153859.tif 000011
【図９Ｂ】
2008153859.tif 000012
【図９Ｃ】
2008153859.tif 000013
【図１０】
2008153859.tif 000014
【図１１】
2008153859.tif 000015